(57)【要約】【課題】運動機能障害者のリハビリテーションのための運動用器具において、左右の運動姿勢、運動量が異なる負荷運動と、少なくとも負荷抵抗を受ける方向へ左右が連動する負荷運動とが１台で可能となるようにする。【解決手段】操作アーム２０Ｒ、２０Ｌを左右の手で回動させることにより、ウエイトプレート７を上方に牽引して運動を行うローイングマシン１において、牽引アーム２１Ｒのアーム部２３Ｒにピンを進退させるプランジャ１５を設け、対向するアーム部２３Ｌに設けられた係止穴１６に向けて進退可能とする。プランジャ１５を引っ張って回転させる容易な操作により、アーム部２３Ｒ、２３Ｌを容易に連結し、左右の負荷方向の動作を連動させる。このとき、回動ジョイント１２により、負荷方向と交差する方向の動作は自由にしておく。【選択図】      図１
2004187723.tif 000002
【特許請求の範囲】
【請求項１】
所定方向へ動かすと負荷を発生する負荷抵抗が連結された２つの把持部材をそれぞれ左右の手または足により動かして運動を行うための運動用器具であって、
前記把持部材が、前記所定方向に対して、互いに独立に動く状態と、互いに連動する状態とを切り換える把持部材連動機構を設けたことを特徴とする運動用器具。
【請求項２】
請求項１に記載の運動用器具において、
前記把持部材が、前記所定方向と交差する方向へ移動可能とされたことを特徴とする運動用器具。
【請求項３】
請求項１または２に記載の運動用器具において、
前記把持部材連動機構が、前記把持部材の一方から前記把持部材の他方に向けて、軸方向に進退可能に設けられたピン部材を備え、該ピン部材の進退により前記２つの把持部材の連結と連結解除とを行うことを特徴とする運動用器具。
【請求項４】
請求項１〜３のいずれかに記載の運動用器具において、
前記把持部材連動機構が、
前記ピン部材を進出方向に押し出すべく弾性力を付勢する弾性部材と、
前記ピン部材の軸方向移動と軸回りの回転を可能とする操作部材と、
該操作部材を軸方向および軸回り方向の所定位置にそれぞれ係止するための複数の係止溝とを備え、
前記操作部材を前記複数の係止溝間で移動させることにより前記ピン部材の進退を操作可能としたことを特徴とする運動用器具。
【発明の詳細な説明】
【０００１】
【発明の属する技術分野】
本発明は、運動用器具、特に、身体の運動機能の低下した運動者が運動機能を回復するために行うリハビリテーションに好適な運動用器具に関する。
【０００２】
【従来の技術】
従来、回動アームや牽引グリップなどに、重錘、粘性抵抗、ばね抵抗などの負荷抵抗を連動させておき、手や足などで回動アームや牽引グリップを動かして負荷運動を行う運動用器具が種々知られている。
このような運動用器具は、負荷のかかる運動方向を適宜に設定することにより特定の筋肉に対して負荷が作用するように調整され、個別の筋肉の鍛錬が可能とされている。そして、左右の筋肉に作用する器具の場合、左右を独立に移動操作するものと、左右を連動して操作するものとがあった。
特許文献１には、左右の上腕を水平方向に回動することにより大胸筋を鍛錬するフライトレーニングマシンにおいて、ギヤによって左右の回動が連動される構成と、上腕をアームパッドに固定する際、上腕の姿勢を調整可能とした構成とが記載されている。
また、特許文献２には、グリップを上下動するショルダープレストレーニングマシンにおいて、左右のグリップがＵ字形のカウンターアームに一体に設けられ、左右が同一の上下運動を行う構成が記載されている。
【０００３】
【特許文献１】
特開平９−２９４８２７号公報（第２−３頁、図１−５）
【特許文献２】
特開平９−２９４８２４号公報（第２−３頁、図１、４）
【０００４】
【発明が解決しようとする課題】
しかしながら、上記のような従来の運動用器具は、以下のような問題があった。
これらの従来の運動用器具は、健常者の筋力増強用のトレーニングマシンとして設計されているので、身体機能の一部が低下もしくは麻痺している高齢者、身体障害者、病人など、運動機能障害者のリハビリテーション（以下、リハビリと略称する）には不適であった。例えば、これら運動機能障害者は多くの場合、単に所定の筋肉が衰えているだけでなく、運動神経の連携が失調しているので、四肢の曲げ伸ばしや移動の自由度が少なく、負荷抵抗が全くない場合でも健常者と同様な運動を行うことが困難である。すなわち、健常者と同様に運動用器具に着座して回動アームなどを握持し所定方向に移動させること自体が困難であるか、大きなストレスが伴うことが多い。
ところが特許文献１、２に記載の技術では、上腕を固定すべきパッドや握持すべきグリップの移動軌跡が完全に左右対称となるため、そのような運動ができず、またそのような運動のリハビリを行う予定のない運動機能障害者にとっては、不自然な運動を強制されるのみで、本来の目的とするリハビリのための運動が効率的に行えないという問題があった。
一方、左右の手または足を独立に動かすことができる運動用器具では、そういう問題は少ないが、左右の一方の運動機能が著しく低下している場合には、実質的に機能低下側がほとんど運動にならず、リハビリのための運動量を確保できないという問題があった。
また、左右に同一の運動を強制することにより、運動機能低下側に運動刺激を与えてリハビリを促進する療法が実現できず、そのために、左右連動型の運動用器具を別に用意しなければならないという問題があった。
【０００５】
本発明は、このような問題に鑑みてなされたものであって、運動機能障害者のリハビリテーションのために、左右の運動姿勢、運動量が異なる負荷運動と、少なくとも負荷抵抗を受ける方向へ左右が連動する負荷運動とが１台で可能となる運動用器具を提供することを目的とする。
【０００６】
【課題を解決するための手段】
上記の課題を解決するために、請求項１に記載の発明では、所定方向へ動かすと負荷を発生する負荷抵抗が連結された２つの把持部材をそれぞれ左右の手または足により動かして運動を行うための運動用器具であって、前記把持部材が、前記所定方向に対して、互いに独立に動く状態と、互いに連動する状態とを切り換える把持部材連動機構を設けた構成とする。
この発明によれば、把持部材を負荷抵抗が発生する所定方向（以下、負荷方向と称する）へ動かす際、把持部材連動機構により左右の手または足が独立に動く状態と連動する状態とを切り換えることができるので、左右の手または足の運動姿勢、運動量が異なる負荷運動と、左右の手または足が連動する負荷運動とが、１台で可能となる。
【０００７】
請求項２に記載の発明では、請求項１に記載の運動用器具において、前記把持部材が、前記所定方向と交差する方向へ移動可能とされた構成とする。
この発明によれば、把持部材が、負荷方向と交差する方向へ移動可能だから、負荷方向に移動中でも、負荷方向と交差する方向における把持位置を移動させることができ、負荷方向に交差する方向において体勢を可変しながら負荷運動を行うことができる。
【０００８】
請求項３に記載の発明では、請求項１または２に記載の運動用器具において、前記把持部材連動機構が、前記把持部材の一方から前記把持部材の他方に向けて、軸方向に進退可能に設けられたピン部材を備え、該ピン部材の進退により前記２つの把持部材の連結と連結解除とを行う構成とする。
この発明によれば、ピン部材の進退により、２つの把持部材の連結と連結解除を行い、それにより把持部材の連動する状態と独立して動く状態を切り換えるから、把持部材連動機構が簡素となり、切り換えが容易となる。
【０００９】
請求項４に記載の発明では、請求項１〜３のいずれかに記載の運動用器具において、前記把持部材連動機構が、前記ピン部材を進出方向に押し出すべく弾性力を付勢する弾性部材と、前記ピン部材の軸方向移動と軸回りの回転を可能とする操作部材と、該操作部材を軸方向および軸回り方向の所定位置にそれぞれ係止するための複数の係止溝とを備え、前記操作部材を前記複数の係止溝間で移動させることにより前記ピン部材の進退を操作可能とした構成とする。
この発明によれば、操作部材を弾性部材に抗して引っ張って退行させてから軸回りに回転させて所定の係止溝に係止することにより、対向する把持部材との連結を解除できる。そして、操作部材を引っ張りつつ回転させて係止溝から離脱させ、弾性部材の弾性力によりピン部材が進出方向に押出されることで、対向する把持部材との連結が可能となる。したがって、操作部材を引っ張って回転させるというきわめて容易な操作により把持部材連動機構を操作することができる。
【００１０】
【発明の実施の形態】
以下では、本発明の実施の形態を、添付図面を参照して説明する。
図１は、本発明の実施形態に係るローイングマシン１を説明するための正面図である。図２、３は、それぞれ図１のＡ視およびＢ視側面図である。
本発明の実施形態に係るローイングマシン１は、座位置で左右上腕の運動を行うことにより、例えば広背筋、菱形筋、三角筋後部などを鍛錬するための運動用器具であり、特に運動機能が低下したり、運動機能障害を有したりする高齢者や病人などがリハビリに利用するのに好適な器具である。
ローイングマシン１の概略構成は、フレーム３、座椅子４、回動アーム２Ｒ、２Ｌ、ウエイトプレート７などからなる。
【００１１】
フレーム３は、ローイングマシン１を支持するためのもので、水平に配置された下フレーム３ａ上に、前面フレーム３ｂ、中間フレーム３ｄを立設し、それらの上部の斜め上方向に片持ち梁状に上フレーム３ｃが設けられてなる。
座椅子４は、主として運動者が図示のＡ視方向を見て座るためのもので、下フレーム３ａの端部に立設されている。座椅子４の高さは調整できるようになっている。
中間フレーム３ｄの上下方向の中間部に設けられたパッド５は、運動者が胸を押し付けて上体の姿勢を固定しながら運動できるように設けられた補助具である。
【００１２】
ローイングマシン１は、図２、３に示したように、Ａ視およびＢ視側面図では、座椅子４の中心軸を境にほぼ左右が対称に形成されている。以下では、ローイングマシン１に関する方向を簡単に表すため、図１において座椅子４が配置された方向、すなわち符号Ａ側を後側、前面フレーム３ｂが配置された符号Ｂ側を前側と称する。そして、ローイングマシン１を、後側から前側に見たときの左右を、ローイングマシン１の左右あるいは単に左右と称する。なお、左右の対称位置に設けられた部材は、符号にそれぞれＬ、Ｒを付して示す。これらの部材は、特に断らない限り、互いに左右対称な形状を有している。したがって、以下では、一方の形状についてのみについて説明する。
【００１３】
回動アーム２Ｒ、２Ｌは、前面フレーム３ｂと座椅子４との中間部、かつ上フレーム３ｃの上端側の下部において、前後方向に回動支持された操作アーム２０Ｒ、２０Ｌ（把持部材）と牽引アーム２１Ｒ、２１Ｌとからなる。
牽引アーム２１Ｒ（２１Ｌ）は、その上端に、左右方向に水平に延びる回動軸部２２Ｒ（２２Ｌ）を有し、回動軸部２２Ｒ（２２Ｌ）の端部近傍から垂直にアーム部２３Ｒ（２３Ｌ）が延ばされた大略Ｌ字状の部材である。回動軸部２２Ｒ（２２Ｌ）は、上フレーム３ｃの下部に設けられた回動支点１１に回動可能に嵌合されている。
アーム部２３Ｒ（２３Ｌ）の下端には、回動軸部２２Ｒ（２２Ｌ）と平行な回転軸を有する牽引滑車１０が設けられている。
そして、図２に示したように、牽引アーム２１Ｒ、２１Ｌのそれぞれの回動軸部２２Ｒ、２２Ｌは、同心軸上に整列されている。また、それぞれのアーム部２３Ｒ（２３Ｌ）は、ローイングマシン１の左右方向の中央部で平行に隣接することが可能な配置とされている。
【００１４】
操作アーム２０Ｒ（２０Ｌ）は、牽引アーム２１Ｒ（２１Ｌ）の上端側に回動ジョイント１２で連結されて、牽引アーム２１Ｒ（２１Ｌ）と略平行に延ばされ、牽引アーム２１Ｒ（２１Ｌ）の下端近傍で、後側に屈曲するへ字状のアーム部材である。その下端には、水平左右方向に横グリップ２ａ、２ａが、牽引アーム２１Ｒ（２１Ｌ）の延長方向に縦グリップ２ｂがそれぞれ設けられ、座椅子４に運動者が着座したとき、上腕を適宜上げた状態で、右（左）手で横グリップ２ａまたは縦グリップ２ｂを握ることができるようになっている。
【００１５】
回動ジョイント１２は、その回転軸が回動軸部２２Ｒ（２２Ｌ）と略直交する方向、より詳しくは、後側から前側を見たときに左右外側から内側へわずかに傾斜する方向に設けられている。そのため、横グリップ２ａを握る場合、体の前側で、左右の手を軽い逆八の字状に配置して握ることができる。そして、その状態のまま、左右方向に無理なく位置を変えるとともに、負荷方向である前後に動かすことが可能となっている。
【００１６】
なお、回動ジョイント１２と回動軸部２２Ｒ（２２Ｌ）との交差する方向は略直交する方向に限るものではなく、負荷方向への移動可能量が大きくなりすぎて負荷効果が失われない限りにおいて、運動者の負担が少なくなるような角度に設定することができる。例えば、回動ジョイント１２をボルト締結しておき、交差する角度を可変できるようにしておいてもよい。
【００１７】
アーム部２３Ｒの下端側の中間部には、プランジャ１５（把持部材連動機構）が設けられている。また、アーム部２３Ｒとアーム部２３Ｌを平行に揃えたときにアーム部２３Ｌのプランジャ１５に対向する位置に係止穴１６（図２参照）が設けられている。
図４（ａ）は、プランジャ１５について説明するための正面視部分断面図である。図４（ｂ）、（ｃ）は、それぞれ、図４（ａ）におけるそれぞれＣ−Ｃ断面図およびＤ−Ｄ断面図である。
プランジャ１５は、ピン１５ｅ（ピン部材）、外筒１５ｄ、調整ナット１７、ガイド１５ｃ、ノブ１５ａ（操作部材）およびコイルばね１８（弾性部材）を備える。
【００１８】
ピン１５ｅは、係止穴１６と嵌合して、アーム部２３Ｒ、２３Ｌを前後方向に連結するための部材である。
外筒１５ｄは、ピン１５ｅを軸方向に可動に保持するための筒状部材で、外周に取付用の雄ねじが形成されている。
調整ナット１７は、外筒１５ｄの雄ねじに螺合するナットであり、プランジャ１５の軸方向の取付位置を調整するための位置規制部材である。
【００１９】
ガイド１５ｃは、外筒１５ｄの端部に設けられた溝付円筒である。ガイド１５ｃには、図４（ｂ）に示したように、その中心軸を通る一方向にガイド溝Ｓ１（係止溝）が形成されている。また、図４（ｃ）に示したように、それと直交する方向にガイド溝Ｓ１より軸方向の溝深さの浅いガイド溝Ｓ２（係止溝）が設けられている。ガイド溝Ｓ１、Ｓ２の溝深さの差は、ピン１５ｅの進退に必要な適宜長さに設定されている。また、それぞれの周方向の溝幅は、同一とされている。
【００２０】
ノブ１５ａは、ガイド１５ｃの内径に嵌合する係止軸１５ｂを介して、ピン１５ｅと連結され、ピン１５ｅの軸方向の移動と軸方向回りの回転が容易に操作できるように適宜のつまみ形状が設けられている。係止軸１５ｂには、その径方向に突出してガイド溝Ｓ１、Ｓ２の幅方向に嵌合する係止突起１５Ｂ、１５Ｂが設けられている。
コイルばね１８は、ピン１５ｅをノブ１５ａと反対側の軸方向に押圧するために弾性力を付勢するためのばねである。そして、ピン１５ｅの中間部に設けられたばねストッパ１５ｆと、外筒１５ｄ内部に設けられた不図示の他のばねストッパとによって圧縮状態で挟持されている。
【００２１】
ウエイトプレート７は、適宜質量に分割された板状の金属板である。そして、図３に示したように複数枚が上下方向に積層されて、それらを上下方向に貫通するガイドロッド３ｅに案内されて配置されている。そして、不図示のクランプ手段によって、最上部から適宜枚数ごとに一体化して上下動可能とされている。
ウエイトプレート７の最上部には、前後方向に向けられた回転軸を有する動滑車８が固定されている。動滑車８は、上方からワイヤー６が巻き掛けられており、ワイヤー６によって吊り上げ可能とされている。
【００２２】
動滑車８に巻き掛けられたワイヤー６は、動滑車８の上方に設けられた左右方向に向けられた回転軸を有する中継滑車９、９により斜め後側に方向転換され、牽引滑車１０、１０にそれぞれ巻き掛けられて上方にターンされ、それぞれの端部が上フレーム３ｃに固定された固定フック１３に係止されている。
【００２３】
次に、本発明の実施形態に係るローイングマシン１の動作について説明する。図１には、実線で回動アーム２Ｒが、二点鎖線で回動アーム２Ｌが描かれているが、それぞれの前後方向動作は同一だから、実線が腕を前側に押し出したときの状態、二点鎖線が腕を後側に引いたときの状態として、その動作について説明する。
【００２４】
腕を前側に押し出したとき、または運動前の状態では、ウエイトプレート７が自重で下方に下がっており、ワイヤー６を介して牽引滑車１０が斜め上方に引き上げられている。そのため、アーム部２３Ｒは、前側に回動しきった状態で、ストッパ１４に突き当たっている。
【００２５】
運動者が、横グリップ２ａまたは縦グリップ２ｂを後側に引いて移動すると、それに伴って牽引滑車１０が、例えば長さＸの円弧を描いて移動する。すると、ワイヤー６は、２・Ｘだけ斜め下方に引かれる。そして、動滑車８が、Ｘだけ上昇する。ウエイトプレート７の質量をＭとすれば、この運動による仕事Ｗ１は、Ｗ１＝Ｍ・ｇ・Ｘである。ここで、ｇは重力加速度である。
なお、この運動を両腕で行えば、上記でＸが２・Ｘとなったとして考えればよいから、その場合の仕事Ｗ２は、Ｗ２＝２・Ｍ・ｇ・Ｘである。
すなわち、ローイングマシン１では、回動アーム２Ｒ（２Ｌ）を後側に引くときに、ウエイトプレート７が負荷抵抗となって、その移動量に対応して、上腕部などの負荷運動が行われる。
一方、左右の腕にかかる荷重ＬＤは、ウエイトプレート７が持ち上げられている限り、ワイヤー６の張力と同じで、ＬＤ＝（Ｍ・ｇ）／２である。
【００２６】
ところで、健常者の場合、左右の筋力に極端な差はないので、負荷を適宜の大きさとして、左右の運動を同時または交互に行うことにより、左右の筋力を鍛錬することができる。
しかしながら、何らかの障害により運動者の運動機能に大きな左右差、例えば左上腕の一部に麻痺症状があると、左上腕が前側に引っ張られたままで、ほとんど運動量がないという場合が起こり得る。右上腕の運動は可能とは言え、左上腕が前方に引っ張られたままという不自然な姿勢を強いられるため、甚だ均衡を失した運動となり、過分な疲労や新たな故障を招く恐れもある。
この場合、リハビリのために運動が必要なのは麻痺症状のある左上腕であるから、リハビリの目的が達せられないことになる。
【００２７】
ローイングマシン１では、そのような場合に、回動アーム２Ｒ、２Ｌの負荷方向の動きを連動させることができる。
図５は、本実施形態におけるプランジャ１５の動作を説明するための正面視部分断面説明図である。図５（ａ）、（ｂ）は、それぞれ、連動状態、独立して動く状態を示している。
図５（ａ）に示したように、プランジャ１５の係止突起１５Ｂがガイド溝Ｓ１に嵌合している状態では、コイルばね１８の弾性力により、ピン１５ｅがアーム部２３Ｌ側に進出し、アーム部２３Ｌ上に設けられた係止穴１６に嵌合している。その結果、アーム部２３Ｒ、２３Ｌは、負荷方向に連動する。
【００２８】
また、この連動状態を解除するには、図５（ｂ）に示したように、ノブ１５ａをピン１５ｅが係止穴１６から退出する方向（図の直線矢印方向）に引っ張り、係止突起１５Ｂがガイド溝Ｓ１の嵌合から外れるまで引っ張ってから、ノブ１５ａを９０°回転させて、係止突起１５Ｂがガイド溝Ｓ２に嵌合するようにする。このとき、ピン１５ｅは、外筒１５ｄ内にほぼ収まる位置まで後退し、係止穴１６から完全に退出する。
【００２９】
再び図５（ａ）の状態とするには、まずピン１５ｅの中心軸と係止穴１６の中心軸が合うように、アーム部２３Ｒ、２３Ｌを位置あわせする。そして、係止突起１５Ｂがガイド溝Ｓ２から外れるまで、ノブ１５ａを引っ張って、９０°回転させ、ガイド溝Ｓ１に嵌合させる。すると、コイルばね１８の弾性力により、ピン１５ｅが進出して、係止穴１６に嵌合する。
【００３０】
本実施形態では、このように、ノブ１５ａの引っ張りと回転のみの簡単な操作でアーム部２３Ｒ、２３Ｌの連結と連結解除とを行うので、例えば、片手でも操作することができて、きわめて容易かつ迅速に操作が行えるという利点がある。したがって、機器の管理者、介助者などに手間が省ける。
【００３１】
このように、本実施形態に係るローイングマシン１では、左右の運動を行う回動アーム２Ｒ、２Ｌが連動する状態と独立して動く状態とを簡単に切り換えることができる。このため、一方の腕の運動機能が著しく低下している場合のように、左右別々の運動ではリハビリの用をなさないときには、左右を連動させて動かすようにすることができる。
またそうすることにより、運動機能の低下した側の腕を強制的に運動させることができ、それが運動神経に刺激を与えることにもなって、運動機能回復を促進するという優れたリハビリ効果を発揮することができる。
【００３２】
その際、従来の左右別々の運動が可能な運動用器具では、筋力鍛錬を目的とするため負荷方向と交差する方向の移動も規制され、それにより、複数の筋肉に効率よく負荷をかける設計とされているのに対して、本実施形態では、回動ジョイント１２を備えているから、左右の連動により左右の上腕に強制運動が課される場合でも、負荷方向と略直交する方向への運動は自由になっている。
したがって、運動者は、自らの運動障害の状態に応じて、横グリップ２ａなどを負荷方向と略直交する方向の自由な位置に移動させつつ、負荷方向への運動を行うことができる。その結果、負荷方向以外への過分なストレスが生じないので、例えば、関節の動きが阻害されているなどの不自由な状態であっても無理なくリハビリを継続することができる。すなわち、運動機能障害者にとって使い心地がよい運動用器具を提供できるという利点がある。
【００３３】
なお、上記の説明では、把持部材連動機構は、ピン継手を利用したプランジャ１５を用いた例で説明したが、回動アーム２Ｒ、２Ｌを連動できる機構であれば、これに限るものではない。例えば、適宜の雄雌継手を用いてもよいし、ボルト締結によってもよい。
【００３４】
また、上記の説明では、運動用器具はローイングマシンの例で説明したが、左右独立の運動が可能な運動用器具であれば、どのようなものでもよい。
さらに、上記の説明では、把持部材を手で握って引っ張ることにより負荷運動を行う例で説明したが、手で押す運動でもよいし、足で負荷運動を行う運動器具でもよいことは言うまでもない。
【００３５】
【発明の効果】
以上に述べたように、請求項１に記載の発明では、把持部材連動機構により左右独立に動く状態と連動する状態とを切り換えることができるので、左右の運動姿勢、運動量が異なる負荷運動と、左右が連動する負荷運動とが、１台で可能となるから、１台の運動用器具で２種類の運動用器具を兼ねることができるという効果を奏する。特に、健常者や回復期患者の筋力鍛錬・維持用に用いることができる運動用器具と、運動機能障害者に好適なリハビリ用の運動用器具とを、１台で兼ね備えるということができるという優れた効果を奏する。
【００３６】
請求項２に記載の発明では、負荷方向と交差する方向における把持体勢を可変することができ、運動機能に障害がある場合でもストレス少なく負荷運動を行うことができるから、運動機能障害者にとって使い心地がよく、過負荷とならないリハビリを行うことができるという効果を奏する。
【００３７】
請求項３に記載の発明では、把持部材が連動する状態と独立して動く状態を切り換えることが容易となるから、段取り替えなどの手間が省け、効率的な利用が可能となるという効果を奏する。
【００３８】
請求項４に記載の発明では、きわめて容易な操作により把持部材連動機構を操作することができるから、誰でも容易に切換操作を行うことができ、さらに効率的な利用が可能となるという効果を奏する。
【図面の簡単な説明】
【図１】本発明の実施形態に係る運動用器具を説明するための正面図である。
【図２】図１におけるＡ視側面図である。
【図３】図１におけるＢ視側面図である。
【図４】本発明の実施形態に係る把持部材連動機構について説明するための正面視部分断面図、Ｃ−Ｃ断面図およびＤ−Ｄ断面図である。
【図５】本発明の実施形態に係る把持部材連動機構の動作を説明するための正面視部分断面説明図である。
【符号の説明】
１  ローイングマシン（運動用器具）
２Ｒ、２Ｌ  回動アーム
７  ウエイトプレート（負荷抵抗）
１２  回動ジョイント
１５  プランジャ（把持部材連動機構）
１５ａ  ノブ（操作部材）
１５ｅ  ピン（ピン部材）
１８  コイルばね（弾性部材）
２０Ｒ、２０Ｌ  操作アーム（把持部材）
【図１】
2004187723.tif 000003
【図２】
2004187723.tif 000004
【図３】
2004187723.tif 000005
【図４】
2004187723.tif 000006
【図５】
2004187723.tif 000007